(57)【要約】      （修正有）【課題】着色インクが乾燥して固形物を生じたときでも、その固形物を洗浄できる洗浄液の提供。【解決手段】下記式（１）及び式（２）で表される化合物から選択される1種類以上の化合物と、水とを含有する洗浄液。Ｒ１-（ＥＯ）ｍ１（ＰＯ）ｎ１Ｈ（１）［式（１）中、Ｒ１は直鎖又は分岐鎖のＣ１−Ｃ３０アルキル基を表す。ＥＯはエチレンオキシ基を、ＰＯはプロピレンオキシ基を表す。ｍ１及びｎ１は１〜６の整数を表す。ｍ１とｎ１の比であるｍ１：ｎ１は、１：２以上で、３：２以下である。また、ＥＯとＰＯが結合する順番は任意である。］2020139134.tif 000012［式（２）中、Ｒ２は直鎖又は分岐鎖のＣ１−Ｃ３０アルキル基を表す。ＯＰはオキシプロピレン基を、ＯＥはオキシエチレン基を、それぞれ表す。ｍ２は１〜２の整数を表し、ｎ２は１〜１５の整数を表す。また、ＯＰとＯＥが結合する順番は任意である。］【選択図】なし【特許請求の範囲】
【請求項１】
下記式（１）及び式（２）で表される化合物から選択される1種類以上の化合物と、水とを含有する洗浄液。
【化１】
2020139134.tif 000010
［式（１）中、Ｒ１は直鎖又は分岐鎖のＣ１−Ｃ３０アルキル基を表す。ＥＯはエチレンオキシ基を、ＰＯはプロピレンオキシ基を表す。ｍ１及びｎ１は１〜５の整数を表す。ｍ１とｎ１の比であるｍ１：ｎ１は、１：２以上で、３：２より小さい。また、ＥＯとＰＯが結合する順番は任意である。］
【化２】
2020139134.tif 000011
［式（２）中、Ｒ２は直鎖又は分岐鎖のＣ１−Ｃ３０アルキル基を表す。ＯＰはオキシプロピレン基を、ＯＥはオキシエチレン基を、それぞれ表す。ｍ２は１〜２の整数を表し、ｎ２は１〜１５の整数を表す。また、ＯＰとＯＥが結合する順番は任意である。］
【請求項２】
さらに、１種類以上のグリコールエーテルを含有する請求項１に記載の洗浄液。
【請求項３】
請求項１又は２に記載の洗浄液の、インクジェットプリンタの洗浄における使用。
【請求項４】
請求項１又は２に記載の洗浄液を用いて、インクジェットプリンタに付着したインクジェットインクの固形物を洗浄する、インクジェットプリンタの洗浄方法。
【発明の詳細な説明】
【技術分野】
【０００１】
本発明は、洗浄液、特にインクジェットプリンタの洗浄に用いる洗浄液、及びそれを用いた洗浄方法に関する。
【背景技術】
【０００２】
インクジェットプリンタによる印刷方法（インクジェット印刷方法）は、インクの小滴を発生させ、これを紙等の記録メディアに付着させ印刷を行う方法である。近年、インクジェット印刷方法は、産業用途としての応用が進んでいる。インクジェットインクが含有する着色剤は、水溶性の着色剤と、水不溶性の着色剤とに大別される。これらのうち、顔料等の水不溶性の着色剤は、水溶性の着色剤と比較して、一般に各種の堅牢性に優れる。このため、産業用のインクジェットインクは、水不溶性の着色剤を含有することが多い。
【０００３】
産業用途に用いられる記録メディアは各種の紙、繊維、及びフィルム等、多様化している。記録メディアの中には樹脂フィルム等のインク非吸収性、及び、コート紙等のインク難吸収性のメディアも多い。そのような記録メディアの印刷に用いるインクとしては、非水系の溶剤インク、及び硬化性インク等が知られている。しかし、例えば自然環境、及び生体等に対する安全性の観点から、これらのインクに代わる水性インクが強く要望されている。そのような水性インクは、水不溶性の着色剤、及び分散剤を含有し、さらに、耐擦過性や耐溶剤性等を向上させる目的で、一般にポリマーやワックス等も含有する。このため、そのような水性インクは固形分の含有量が多く、極めて乾燥しやすい。インクの乾燥は、長期の保管、高温・低湿度環境での保管等において、インクジェットヘッドのノズル部やインク流路内での固形物の形成を生じ、目詰まりが発生しやすい。このようにインクジェットヘッド内で目詰まりが生じると、インクの吐出が安定して行なえない。このため、印刷画質の劣化、画像濃度の低下等の問題が生じる。そのため、一般に、産業用インクジェットヘッドには、ノズル部にキャップ部材を装備し、インクの乾燥を防止する等の工夫がされている。しかし、インクジェットプリンタが稼働する環境が過酷なときは、インクの乾燥を完全に回避することは難しい。
【０００４】
上記の状況から、インクが乾燥して固形物を生じることによりインクジェットヘッドが目詰まりしても、これを洗浄できる洗浄液（クリーニング液、又はメンテナンス液等ともいう。）が強く要望されている。特許文献１〜６には、インクジェット記録装置の洗浄に用いる洗浄液が開示されている。
【先行技術文献】
【特許文献】
【０００５】
【特許文献１】特許第５０２７４４４号公報
【特許文献２】特許第４６４９８２３号公報
【特許文献３】特許第４３９７２２０号公報
【特許文献４】特許第５６１８２５０号公報
【特許文献５】特許第５８１９２０６号公報
【特許文献６】特許第５８１９２０５号公報
【発明の概要】
【発明が解決しようとする課題】
【０００６】
本発明は、着色インクが乾燥して固形物を生じたときでも、その固形物を洗浄できる洗浄液の提供を課題とする。
【課題を解決するための手段】
【０００７】
本発明者らは、上記したような課題を解決すべく鋭意研究を重ねた結果、少なくとも、下記式（１）及び又は下記式（２）で表される化合物と、水とを含有する洗浄液により、上記の課題を解決できることを見出し、本発明を完成させた。
即ち、本発明は以下の１）〜４）に関する。
【０００８】
１）
下記式（１）及び式（２）で表される化合物から選択される1種類以上の化合物と、水とを含有する洗浄液。
【０００９】
【化１】
2020139134.tif 000002
【００１０】
［式（１）中、Ｒ１は直鎖又は分岐鎖のＣ１−Ｃ３０アルキル基を表す。ＥＯはエチレンオキシ基を、ＰＯはプロピレンオキシ基を表す。ｍ１及びｎ１は１〜６の整数を表す。ｍ１とｎ１の比であるｍ１：ｎ１は、１：２以上で、３：２以下である。また，ＥＯとＰＯが結合する順番は任意である。］
【００１１】
【化２】
2020139134.tif 000003
【００１２】
［式（２）中、Ｒ２は直鎖又は分岐鎖のＣ１−Ｃ３０アルキル基を表す。ＯＰはオキシプロピレン基を、ＯＥはオキシエチレン基を、それぞれ表す。ｍ２は１〜２の整数を表し、ｎ２は１〜１５の整数を表す。また、ＯＰとＯＥが結合する順番は任意である。］
２）
さらに、１種類以上のグリコールエーテルを含有する上記１）に記載の洗浄液。
３）
上記１）又は２）に記載の洗浄液の、インクジェットプリンタの洗浄における使用。
４）
上記１）又は２）に記載の洗浄液を用いて、インクジェットプリンタに付着したインクジェットインクの固形物を洗浄する、インクジェットプリンタの洗浄方法。
【発明の効果】
【００１３】
本発明により、着色インクが乾燥して固形物を生じたときでも、その固形物を洗浄できる洗浄液を提供できた。
【発明を実施するための形態】
【００１４】
本明細書においては、特に断りの無い限り「％」及び「部」は、いずれも質量基準で記載する。
【００１５】
上記式（１）中、ＥＯはエチレンオキシ基を、ＰＯは直鎖又は分岐鎖のプロピレンオキシ基を、それぞれ表す。
Ｒ１は直鎖又は分岐鎖の通常Ｃ１−Ｃ３０、好ましくはＣ１０−Ｃ１８、より好ましくはＣ１２−Ｃ１５のアルキル基である。それらの中では直鎖アルキル基が好ましい。
ｍ１及びｎ１はそれぞれ独立に１〜６の整数を表す。ｍ１：ｎ１の比は通常１：２以上で、３：２以下の範囲である。ｍ１：ｎ１の数、及び比としては１：２、２：３、３：４、４：５、５：６、６：６、５：５、４：４、３：３、２：２、１：１、６：５、５：４、４：３、３：２が好ましく、これらの中では４：４がより好ましい。
ｍ１及びｎ１は、いずれも平均値である。このため、本明細書においてｍ１及びｎ１が小数点以下の数値を有するときは、小数点以下１桁目を四捨五入して整数とした数値をｍ１及びｎ１の値とする。
洗浄液の総質量中における、式（１）で表される化合物の含有量は通常０．１％〜２％、好ましくは０．５％〜１％である。
式（１）で表される化合物は、公知の方法により合成することができる。また、市販品としても入手できる。市販品の具体例としては、例えば、クラリアント社製のＧＥＮＡＰＯＬ  ＥＰ２４２４、ＥＰ２５４４等が挙げられる。
また、上記式（１）中、ＥＯ及びＰＯが結合する順番は任意であり、式（１）で表される順番に特定されるものではない。好ましくは、式（１）で表される順番である。
【００１６】
［式（２）で表される化合物］
上記式（２）中、ＯＰは直鎖又は分岐鎖のオキシプロピレン基を、ＯＥはオキシエチレン基を、それぞれ表す。
Ｒ２は直鎖又は分岐鎖の通常Ｃ１−Ｃ３０、好ましくはＣ７−Ｃ１３、より好ましくはＣ７−Ｃ１０、さらに好ましくはＣ８−Ｃ１０、特に好ましくはＣ９アルキル基である。それらの中では直鎖アルキル基が好ましい。
ｍ２は１〜２の整数を表し、ｎ２は１〜１５、好ましくは２〜８の整数を表す。ｍ２：ｎ２の比は１：４または２：４がより好ましい。
ｍ２及びｎ２は、いずれも平均値である。このため、本明細書においてｍ２及びｎ２が小数点以下の数値を有するときは、小数点以下１桁目を四捨五入して整数とした数値をｍ２及びｎ２の値とする。
洗浄液の総質量中における、式（２）で表される化合物の含有量は通常０．１％〜２％、好ましくは０．５％〜１％である。
式（２）で表される化合物は、公知の方法により合成することができる。また、市販品としても入手できる。市販品の具体例としては、例えば、ＢＡＳＦ社製のＬｕｔｅｎｓｏｌ  ＸＬ４０等が挙げられる。
また、上記式（２）中、ＯＰ及びＯＥが結合する順番は任意であり、式（２）で表される順番に特定されるものではない。好ましくは、式（２）で表される順番である。
【００１７】
上記の洗浄液は、さらに下記式（３）及び式（４）で表される化合物から選択される１種類以上の化合物を含有することができる。
【００１８】
【化３】
2020139134.tif 000004
【００１９】
Ｒ３はアルキル基、又はアリール基である。
Ｒ３におけるアルキル基としては直鎖又は分岐鎖の、通常Ｃ１−Ｃ３０、好ましくはＣ１０−Ｃ２８、より好ましくはＣ１０−Ｃ２６、さらに好ましくはＣ１０−Ｃ２４、場合により好ましくはＣ１２−Ｃ２４、特に好ましくはＣ１３−Ｃ２２アルキル基が挙げられる。アルキル基の中では直鎖アルキル基が好ましい。
Ｒ３におけるアリール基としてはＣ６−Ｃ１４アリール基、好ましくはＣ６−Ｃ１０アリール基、より好ましくはフェニル基が挙げられる。
Ｒ３におけるアリール基は、さらに置換基を有することができる。置換基の数としては通常１つ〜５つ、好ましくは１つ〜４つ、より好ましくは１つ〜３つ、さらに好ましくは１つ又は２つ、特に好ましくは２つである。
置換基としてはアリールアルキル基が挙げられ、好ましくはＣ６−Ｃ１４アリールＣ１−Ｃ６アルキル基；より好ましくはＣ６−Ｃ１０アリールＣ１−Ｃ４アルキル基；さらに好ましくはＣ６−Ｃ１０アリールＣ１−Ｃ３アルキル基；場合により好ましくはＣ６−Ｃ１０アリールＣ１−Ｃ２アルキル基；特に好ましくはフェネチル基（フェニルエチル基）が挙げられる。
ＥＯはエチレンオキシ基を表す。
Ｌ３は１０以上の整数であり、好ましくは１０〜３０、より好ましくは１０〜２６、さらに好ましくは１０〜２２、場合により好ましくは１０〜２０、特に好ましくは１３〜１８である。Ｌ３は平均値であるため、整数とはならずに小数点以下の数値を有するときがある。本明細書において、そのようなときは小数点以下１桁目を四捨五入して整数とした数値をＬ３の値とする。
洗浄液の総質量中における、上記式（３）で表される化合物の含有量は０．２％〜２％である。
式（３）で表される化合物は、公知の方法により合成することができる。また、市販品としても入手できる。市販品の具体例としては、例えば、クラリアント社製のＧＥＮＡＰＯＬ  Ｘ１５０、花王株式会社製のエマルゲン  Ａ９０等が挙げられる。
【００２０】
【化４】
2020139134.tif 000005
【００２１】
上記式（４）中、ＥＯはエチレンオキシ基を表わし、ＰＯは直鎖又は分岐鎖のプロピレンオキシ基を、それぞれ表す。
ｍ４、ｎ４、及びＬ４は、それぞれ独立に１以上の整数を表し、その上限は特に限定されないが通常ｍ４が１１以上４０以下、ｎ４が２５以上５８以下、Ｌ４が１１以上４０以下；好ましくはｍ４が１１以上３９以下、ｎ４が２７以上５８以下、Ｌ４が１１以上３９以下；より好ましくはｍ４が１３以上３７以下、ｎ４が２９以上５６以下、Ｌ４が１３以上３７以下である。
ｍ４、ｎ４、及びＬ４は、下記式（５）の条件を有する。下記式（５）において、（ｍ４＋Ｌ４）／（ｍ４＋ｎ４＋Ｌ４）×１００の上限は通常７６、好ましくは７１、より好ましくは６２である。下限は通常２７より大きく、好ましくは２８以上である。これらの上下限の範囲としては通常２７〜７６、好ましくは２８〜７１、より好ましくは３５〜６２、さらに好ましくは４０〜６０、場合により好ましくは４５〜６０、特に好ましくは４７〜５７である。
ｍ４、ｎ４、及びＬ４は、いずれも平均値である。このため、本明細書においてｍ４、ｎ４、及びＬ４が小数点以下の数値を有するときは、小数点以下１桁目を四捨五入して整数とした数値をｍ４及びｎ４の値とする。
また、本明細書において式（５）の算出結果が小数点以下の数値を有するときは、小数点以下１桁目を四捨五入した数値を算出結果とする。
【００２２】
【化５】
2020139134.tif 000006
【００２３】
洗浄液の総質量中における、式（４）で表される化合物の含有量は通常０．２％〜２％、好ましくは０．４％〜２％である。洗浄液中の含有量が、上記の範囲であるとき、均一な溶液の洗浄液が得られ、また、優れた洗浄能力が得られる。
式（４）で表される化合物は、公知の方法により合成することができる。また、市販品としても入手できる。市販品の具体例としては、例えば、クラリアント社製のＧＥＮＡＰＯＬ  ＰＦ４０、第一工業製薬社製のエパン  Ｕ―１０５等が挙げられる。
また、式（４）中、ＥＯ及びＰＯが結合する順番は任意であり、式（４）で表される順番に特定されるものではない。好ましくは、式（４）で表される順番である。
【００２４】
上記の式（１）及び式（２）で表される化合物から選択される１種類以上の化合物を含有することにより、高い洗浄能力を有する洗浄液を得ることができる。
また、上記の式（３）及び式（４）で表される化合物から選択される1種類以上の化合物をさらに含有する洗浄液は、高い洗浄能力に加え、保存安定性が良好な洗浄液を得ることができる。
【００２５】
［有機溶剤］
上記の洗浄液は、さらに有機溶剤を含有することができる。有機溶剤としては特に制限されない。
有機溶剤としては、例えばメタノール、エタノール、プロパノール、イソプロパノール、ブタノール、イソブタノール、第二ブタノール、及び第三ブタノール等の、ヒドロキシ基を１つ有するＣ１−Ｃ６アルカノール；Ｎ，Ｎ−ジメチルホルムアミド、及びＮ，Ｎ−ジメチルアセトアミド等のアミド類；２−ピロリドン、Ｎ−メチル−２−ピロリドン、及びＮ−メチルピロリジン−２−オン等のラクタム；１，３−ジメチルイミダゾリジン−２−オン、及び１，３−ジメチルヘキサヒドロピリミド−２−オン等の環式尿素；アセトン、２−メチル−２−ヒドロキシペンタン−４−オン、及びエチレンカーボネート等の、ケトン又はケトアルコール；テトラヒドロフラン、及びジオキサン等の環状エーテル；エチレングリコール、ジエチレングリコール、１，２−プロピレングリコール、１，３−プロピレングリコール、１，４−ブチレングリコール、１，６−へキシレングリコール、１，２−ヘキサンジオール、１，２−ペンタンジオール、４−メチル−１，２−ペンタンジオール、３，３−ジメチル−１，２−ブタンジオール、１，２−オクタンジオール、５−メチル−１，２−ヘキサンジオール、４−メチル−１，２−ヘキサンジオール、４，４−ジメチル−１，２−ペンタンジオール、ジエチレングリコール、トリエチレングリコール、テトラエチレングリコール、ジプロピレングリコール、分子量が４００以上のポリエチレングリコール又はポリプロピレングリコール、チオジグリコール又はジチオジグリコール等の、Ｃ２−Ｃ８アルキレン単位を有するモノ、オリゴ又はポリアルキレングリコール又はチオグリコール；グリセリン、ジグリセリン、ヘキサン−１，２，６−トリオール、トリメチロールプロパン等のポリオール（トリオール）；γ−ブチロラクトン、及びジメチルスルホキシド；及び、グリコールエーテル等が挙げられる。これらの中ではグリコールエーテルが好ましい。
グリコールエーテルとしては、ジ又はトリＣ２−Ｃ４アルキレングリコールのモノアルキルエーテルが好ましい。
Ｃ２−Ｃ４アルキレングリコール部分としては、エチレングリコール、プロピレングリコール、及びブチレングリコールが挙げられる。これらの中ではエチレングリコール、及びプロピレングリコールが好ましく、エチレングリコールがより好ましい。
モノアルキルエーテル部分のアルキルの炭素数の範囲は、通常Ｃ１−Ｃ６、好ましくはＣ１−Ｃ５、より好ましくはＣ２−Ｃ４、さらに好ましくはＣ３−Ｃ４、特に好ましくはＣ４である。
その具体例としては、例えば、エチレングリコールモノメチルエーテル、エチレングリコールモノエチルエーテル、ジエチレングリコールモノエチルエーテル、ジエチレングリコールモノプロピルエーテル、ジエチレングリコールモノブチルエーテル（ブチルジグリコール）、トリエチレングリコールモノメチルエーテル、トリエチレングリコールモノエチルエーテル、エチレングリコールモノアリルエーテル、エチレングリコールモノイソプロピルエーテル、ジエチレングリコールモノメチルエーテル、プロピレングリコールモノプロピルエーテル、トリエチレングリコールモノブチルエーテル等が挙げられる。これらの中ではブチルジグリコールが好ましい。
洗浄液の総質量中における、有機溶剤の総含有量は通常０〜６０％、好ましくは０．１〜５０％、より好ましくは０．２〜４０％、さらに好ましくは０．５〜３０％である。また、有機溶剤として少なくともグリコールエーテルを含有するとき、グリコールエーテルの総含有量は通常０〜１５％、好ましくは０．１〜１５％、より好ましくは０．２〜１３％、さらに好ましくは０．５〜１０％である。
グリコールエーテルと、それ以外の有機溶剤を併用するときは、これらの総含有量の和が、洗浄液の総質量中における、有機溶剤の総含有量となる。このときも、グリコールエーテルの総含有量は上記のとおりである。
【００２６】
上記洗浄液は、上記した成分以外に、必要に応じて各種の調製剤をさらに含有することができる。そのような調製剤としては、例えば、界面活性剤、防腐剤、防黴剤、ｐＨ調整剤、キレート試薬、防錆剤、水溶性紫外線吸収剤、酸化防止剤等が挙げられる。
洗浄液の総質量に対して、調製剤の総含有量は通常０％〜３０％、好ましくは０％〜２０％、より好ましくは０％〜１０％程度である。
【００２７】
上記洗浄液は、実質的に着色剤を含有しない。本明細書において「実質的に」とは、洗浄液中に、意図的に着色剤を加えないことを意味する。
【００２８】
［界面活性剤］
界面活性剤としては、アニオン、カチオン、ノニオン、両性、シリコン系、及びフッ素系の、各界面活性剤が挙げられる。これらの中ではノニオン界面活性剤が好ましい。
【００２９】
アニオン界面活性剤としてはアルキルスルホカルボン酸塩、α−オレフィンスルホン酸塩、ポリオキシエチレンアルキルエーテル酢酸塩、ポリオキシエチレンアルキルエーテル硫酸塩、Ｎ−アシルアミノ酸又はその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリールスルホン酸塩、ジエチルスルホ琥珀酸塩、ジエチルヘキシルスルホ琥珀酸塩、ジオクチルスルホ琥珀酸塩等が挙げられる。
【００３０】
カチオン界面活性剤としては２−ビニルピリジン誘導体、ポリ４−ビニルピリジン誘導体等が挙げられる。
【００３１】
ノニオン界面活性剤としては、ポリオキシエチレンノニルフェニルエーテル、ポリオキシエチレンオクチルフェニルエーテル、ポリオキシエチレンドデシルフェニルエーテル、ポリオキシエチレンオレイルエーテル、ポリオキシエチレンラウリルエーテル、ポリオキシエチレンアルキルエーテル、ポリオキシエチレンジスチレン化フェニルエーテル、ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレート等のエステル系；２，４，７，９−テトラメチル−５−デシン−４，７−ジオール、３，６−ジメチル−４−オクチン−３，６−ジオール、３，５−ジメチル−１−ヘキシン−３−オール等が挙げられる。
【００３２】
両性界面活性剤としてはラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、イミダゾリン誘導体等が挙げられる。
【００３３】
シリコン系界面活性剤としては、ポリエーテル変性シロキサン、ポリエーテル変性ポリジメチルシロキサン等が挙げられる。
【００３４】
フッ素系界面活性剤としては、例えば、パーフルオロアルキルスルホン酸化合物、パーフルオロアルキルカルボン酸系化合物、パーフルオロアルキルリン酸エステル化合物、パーフルオロアルキルエチレンオキサイド付加物、及びパーフルオロアルキルエーテル基を側鎖に有するポリオキシアルキレンエーテルポリマー化合物等が挙げられる。
【００３５】
防腐剤の例としては、例えば有機硫黄系、有機窒素硫黄系、有機ハロゲン系、ハロアリールスルホン系、ヨードプロパギル系、ハロアルキルチオ系、ニトリル系、ピリジン系、８−オキシキノリン系、ベンゾチアゾール系、イソチアゾリン系、ジチオール系、ピリジンオキシド系、ニトロプロパン系、有機スズ系、フェノール系、第４アンモニウム塩系、トリアジン系、チアジン系、アニリド系、アダマンタン系、ジチオカーバメイト系、ブロム化インダノン系、ベンジルブロムアセテート系又は無機塩系等の化合物が挙げられる。
【００３６】
防黴剤の具体例としては、デヒドロ酢酸ナトリウム、安息香酸ナトリウム、ナトリウムピリジンチオン−１−オキシド、ｐ−ヒドロキシ安息香酸エチルエステル、１，２−ベンズイソチアゾリン−３−オン及びその塩等が挙げられる。
【００３７】
ｐＨ調整剤としては、調製されるインク組成物に悪影響を及ぼさずに、そのｐＨを５〜１１に調整できれば、任意の物質を使用することができる。
その具体例としては、例えば、ジエタノールアミン、トリエタノールアミン、Ｎ−メチルジエタノールアミン等のアルカノールアミン；水酸化リチウム、水酸化ナトリウム、水酸化カリウム等のアルカリ金属の水酸化物；水酸化アンモニウム（アンモニア水）；あるいは炭酸リチウム、炭酸ナトリウム、炭酸水素ナトリウム、炭酸カリウム等のアルカリ金属の炭酸塩；ケイ酸ナトリウム、酢酸カリウム等の有機酸のアルカリ金属塩；リン酸二ナトリウム等の無機塩基等が挙げられる。
【００３８】
キレート試薬の具体例としては、例えば、エチレンジアミン四酢酸二ナトリウム、ニトリロ三酢酸ナトリウム、ヒドロキシエチルエチレンジアミン三酢酸ナトリウム、ジエチレントリアミン五酢酸ナトリウム、及びウラシル二酢酸ナトリウム等が挙げられる。
【００３９】
防錆剤の具体例としては、例えば、酸性亜硫酸塩、チオ硫酸ナトリウム、チオグリコール酸アンモニウム、ジイソプロピルアンモニウムナイトライト、四硝酸ペンタエリスリトール、及びジシクロヘキシルアンモニウムナイトライト等が挙げられる。
【００４０】
水溶性紫外線吸収剤の例としては、例えばスルホ化されたベンゾフェノン系化合物、ベンゾトリアゾ−ル系化合物、サリチル酸系化合物、桂皮酸系化合物、トリアジン系化合物が挙げられる。
【００４１】
酸化防止剤の例としては、例えば、各種の有機系及び金属錯体系の褪色防止剤を使用することができる。上記有機系の褪色防止剤の例としては、ハイドロキノン類、アルコキシフェノール類、ジアルコキシフェノール類、フェノール類、アニリン類、アミン類、インダン類、クロマン類、アルコキシアニリン類、及び複素環類等が挙げられる。
【００４２】
上記洗浄液は、上記した成分と、必要に応じてインク調製剤とを加え、十分に混合することにより得ることができる。
上記インクジェットプリンタの洗浄方法は、インクジェットプリンタに付着したインクジェットインクの固形物を洗浄する方法であれば、特に限定されない。通常の洗浄方法としては、例えば、洗浄液をスポンジ等に吸収させて、着色インクが付着した部分の汚れをふき取る方法等が挙げられる。一方、例えば着色インクがインクジェットヘッド上で乾燥し、インクジェットヘッドの汚れが激しいときは、着色インクの代わりに洗浄液をインクジェットヘッドに充填して洗浄することもできる。
洗浄液をインクジェットヘッドに充填して洗浄をするときは、洗浄液を精密濾過するのが好ましい。
精密濾過をするときは、メンブランフィルター及び／又はガラス濾紙等を用いることができる。精密濾過を行うときのフィルター等の孔径は通常０．５μｍ〜２０μｍ、好ましくは０．５μｍ〜１０μｍである。
【００４３】
上記洗浄液のｐＨは、インクジェットプリンタ部材を腐食させない目的で通常ｐＨ５〜１１、好ましくはｐＨ７〜１０．５である。
洗浄液の表面張力は通常１０ｍＮ／ｍ〜５０ｍＮ／ｍ、好ましくは２０ｍＮ／ｍ〜４０ｍＮ／ｍである。
洗浄液の粘度は通常３０ｍＰａ・ｓ以下、好ましくは２０ｍＰａ・ｓ以下、下限は０．１ｍＰａ・ｓ程度である。
【００４４】
上記洗浄液は、各種の着色剤を含有する水系インクの洗浄に使用することができる。着色剤の一例としては、例えば、酸性染料、直接染料、及び反応染料等の水溶性染料を含有する水系染料インク；分散染料、及び顔料を含有する水不溶性着色剤を含有する水系インク等が挙げられる。
上記洗浄液は洗浄力が高いため、水不溶性着色剤、特に顔料を含有する水系インクの洗浄に用いることが好ましい。また、上記の洗浄液は、その洗浄力の高さから、顔料と共に各種の樹脂を含有する水系インクの洗浄液として、極めて高い能力を発揮する。
【００４５】
上記した全ての成分は、そのうちの１種類を単独で使用することができる。また、２種類以上を併用することもできる。
また、上記した全ての事項について、好ましいもの同士の組み合わせはより好ましく、より好ましいもの同士の組み合わせはさらに好ましい。好ましいものとより好ましいものとの組み合わせ、より好ましいものとさらに好ましいものとの組み合わせ等についても同様である。
【実施例】
【００４６】
以下、本発明を実施例によって具体的に説明するが、本発明は、以下の実施例に限定されるものではない。また、洗浄液、及び着色インクの調製は、特に断りのない限り、いずれも攪拌下に行った。
また、実施例中で使用した「水」は、イオン交換水である。
【００４７】
［実施例１〜４］：洗浄液の調製。
下記表１に記載の各成分を混合して、それぞれ総量１００部の液を得た後、得られた液を３μｍのメンブランフィルターで濾過することにより、実施例１〜４の洗浄液を得た。実施例１〜４で使用した「ＥＰ２４２４」、「ＥＰ２５４４」、及び「ＸＬ４０」は、上記式（１）又は式（２）に相当する化合物である。
【００４８】
［比較例１〜５］：比較用の洗浄液の調製。
下記表１に記載の各成分を使用する以外は、上記の実施例１〜４と同様にして、比較例１〜５の比較用の洗浄液を得た。比較例２で使用した「ＥＰ２５８４」は上記式（１）には相当せず、「ＳＮ４６５」、「ＥＰ７０２５」、及び「ＬＳ１０６」は、上記式（２）には相当しない化合物である。
【００４９】
下記表１中の略号等は、以下の意味を有する。また、表１中の数値は「部」である。
Ｇｌｙ：グリセリン。
２Ｐｙ：２−ピロリドン。
ＢＤＧ：ブチルジグリコール。
ＥＰ２４２４：クラリアント社製ノニオン界面活性剤、ＧＥＮＡＰＯＬ  ＥＰ２４２４。
ＥＰ２５４４：クラリアント社製ノニオン界面活性剤、ＧＥＮＡＰＯＬ  ＥＰ２５４４。
ＥＰ２５６４：クラリアント社製ノニオン界面活性剤、ＧＥＮＡＰＯＬ  ＥＰ２５６４。
ＥＰ２５８４：クラリアント社製ノニオン界面活性剤、ＧＥＮＡＰＯＬ  ＥＰ２５８４。
ＸＬ４０：ＢＡＳＦ社製  Ｌｕｔｅｎｓｏｌ  ＸＬ４０。
ＳＮ４６５：日信化学株式会社製ノニオン界面活性剤、サーフィノール  ４６５。
ＥＰ７０２５：株式会社日本触媒製ノニオン界面活性剤、ソフタノール  ＥＰ−７０２５。
ＬＳ１０６：花王株式会社製ノニオン界面活性剤、エマルゲン  ＬＳ−１０６。
Ａ９０：花王株式会社製ノニオン界面活性剤、エマルゲン  Ａ９０。
ＴＥＡ：トリエタノールアミン。
ＧＸＬ（Ｓ）：ロンザ社製プロキセルＧＸＬ（Ｓ）。
【００５０】
ＥＰ２４２４は上記式（１）中、Ｒ１がＣ１２−Ｃ１４アルキル基、ｍ１が１〜３、ｎ１が２〜５、ｍ１：ｎ１が１：２の化合物である。
ＥＰ２５４４は上記式（１）中、Ｒ１がＣ１２−Ｃ１５アルキル基、ｍ１が２〜４、ｎ１が２〜４、ｍ１：ｎ１が１：１の化合物である。
ＥＰ２５６４は上記式（１）中、Ｒ１がＣ１２−Ｃ１５アルキル基、ｍ１が６、ｎ１が４、ｍ１：ｎ１が３：２の化合物である。
ＥＰ２５８４は上記式（１）中、Ｒ１がＣ１２−Ｃ１５アルキル基、ｍ１が８、ｎ１が４、ｍ１：ｎ１が２：１であることから、上記式（１）には含まれない化合物である。
ＸＬ４０は上記式（２）中、Ｒ２が４−ノニル基、ｍ２が１、ｎ２が４の化合物である。
ＳＮ４６５はアセチレングリコールであることから、上記式（１）には含まれない化合物である。
ＥＰ７０２５は上記式（１）中、Ｒ１がＣ１２−Ｃ１５分岐鎖アルキル基、ｍが２．５、ｎが７であることから、上記式（１）には含まれない化合物である。
ＬＳ１０６はＲ１としてアルキル基を、またオキシエチレン基を有するが、オキシプロピレン基を有さない（すなわちｍが０）ことから、上記式（１）には含まれない化合物である。
Ａ９０は上記式（２）中、Ｒ２が１−フェニルエチル基が２つ置換したフェニル基、Ｌが１８の化合物である。
【００５１】
【表１】
2020139134.tif 000007
【００５２】
［調製例１］：樹脂Ａの調製。
ジョンクリル６７８（ＭＷ：８５００）２５部、及びトリエタノールアミン１４．３部をイオン交換水６０．７部に溶解し、一時間撹拌して溶液を得た。得られた溶液を、樹脂Ａとする。
【００５３】
［調製例２］：着色分散液の調製。
国際公開第２０１３／１１５０７１号の合成例３に記載のブロック共重合体を調製し、得られた高分子分散剤５部を、２−ブタノン２０部に溶解させ、均一な溶液とした。この液に、水酸化ナトリウム（０．４部）を水（５０．６部）に溶解させた液を加え、樹脂溶液Ａ（４部）を添加後、１時間攪拌して液を得た。この液にＣ．Ｉ．Ｐｉｇｍｅｎｔ  Ｙｅｌｌｏｗ  ７４（２０部、クラリアント社製ＨＡＮＳＡ  ＹＥＬＬＯＷ  ５ＧＸ  ０１−ＪＰ）を加え、１５００ｒｐｍの条件下で１５時間、サンドグラインダー中で分散処理を行って液を得た。得られた液に水（１００部）を滴下した後、この液をろ過しろ液を得た。得られたろ液から、エバポレータで２−ブタノン、及び水の一部を減圧留去することにより、顔料含有量が１２．４％の着色分散液を得た。
着色分散液中の顔料含有量は、株式会社エイ・アンド・デイ社製、ＭＳ−７０を用いて、乾燥重量法により、液中の全固形分から顔料のみの換算値として求めた。
【００５４】
［調製例３］樹脂Ｂの調製。
国際公開第２０１５／１４７１９２号ガゼットの調製例４を追試することにより、酸価が６ＫＯＨｍｇ／ｇ、Ｔｇが０℃、固形分が２５％の樹脂エマルションを調製した。これを「樹脂Ｂ」とする。
【００５５】
［調製例４］：着色インクの調製。
下記表２に記載の各成分を混合して総量１００部の液を得た後、得られた液を３μｍのメンブランフィルターで濾過することにより、洗浄液の評価に用いる着色インクを得た。
【００５６】
下記表２中の略号等は、以下の意味を有する。また、下記表２中の数値は「部」である。
Ｄｐ１：調製例２で得た着色分散液。
ＴＥＧ：トリエチレングリコール。
１，２ＨＤ：１，２−ヘキサンジオール。
ＳＮ４６５：日信化学株式会社製ノニオン界面活性剤、サーフィノール  ４６５。
ＡＱ５１５：ビックケミー社製ポリエチレンワックス、ＡＱＵＡＣＥＲ  ５１５（固形分３５．０％）。
また、樹脂Ｂ、及びＡＱ５１５の表２中の部数は固形分換算値である。
【００５７】
【表２】
2020139134.tif 000008
【００５８】
［安定性試験]
各実施例、及び比較例で得た洗浄液を、室温で１２時間静置した後、洗浄液の状態を目視で観察し、その安定性を評価した。評価基準は以下の２段階とした。評価結果を下記表３に示す。
なお、安定性試験において「Ａ」評価の洗浄液のみを使用して、下記する洗浄性試験を行った。
［評価基準］
Ａ：洗浄液の状態に変化はなかった。
Ｃ：洗浄液から分離した液状成分が、洗浄液の表面に浮いているのが観察された。
【００５９】
［洗浄性試験]
上記の調製例４で得た着色インクをガラスシャーレ上に２０マイクロリットル滴下し、６０℃の恒温槽に１時間静置して乾燥させることにより、着色インクが固化した固形物を得た。
得られた固形物に実施例、及び比較例の各洗浄液を１０ミリリットル滴下し、固形物を洗浄できるか否かを目視で評価した。評価基準は以下の４段階とした。評価結果を下記表３に示す。なお、表３において「−」は、洗浄性試験を行わなかったことを表す。
［評価基準］
Ａ：固形物の残存が認められず、均一な液となった。
Ｂ：わずかに固形物の残存が認められるが、ほぼ均一な液となった。
Ｃ：明らかに固形物が残存し、均一な液とは認められなかった。
Ｄ：固形物の形状が全く変化しなかったか、又は、ほとんど変化しなかった。
【００６０】
【表３】
2020139134.tif 000009
【００６１】
上記の結果から明らかなように、実施例の洗浄液は、安定性と洗浄性に優れることが確認された。
【産業上の利用可能性】
【００６２】
本発明の洗浄液は、着色インク、特には水不溶性の着色剤を含有する水性インクが乾燥して固形物を生じたときでも、その固形物を洗浄できるため、着色インクの洗浄液、特に着色インクジェットインクの洗浄液として極めて有用である。